(57)【要約】【課題】  移動機構によって押圧される部分（被押圧部）と、光プリントヘッドの長手方向における光プリントヘッドの一端側と他端側とに設けられた位置決めピンの位置とが、光プリントヘッドの移動方向において重なっていない場合、位置決めピンがドラムユニットに当接した状態で光プリントヘッドが移動機構によって押圧されると、光プリンとヘッドのうち二箇所に設けられた被押圧部間の領域に押圧される方向に向けて力が付与され変形してしまう。【解決手段】  光プリントヘッドの長手方向と光プリントヘッドの移動方向との双方に垂直な方向において、光プリントヘッドの側壁面から突出し、光プリントヘッドの長手方向に延びる突出部を備えた。【選択図】  図１１
2020062764.tif 000002
【特許請求の範囲】
【請求項１】
回転可能な感光ドラムを有するドラムユニットを備える画像形成装置に取り付けられる長手形状の光プリントヘッドであって、
前記感光ドラムを露光するための光を出射する複数の発光素子が光プリントヘッドの長手方向に沿って並べられた基板と、
前記複数の発光素子から出射された光を前記感光ドラムに集光させるレンズアレイと、
前記基板と前記レンズアレイとを有する樹脂製のホルダーと、を有し、
前記ホルダーは、
前記基板が取り付けられる取付部と、
光プリントヘッドを前記ドラムユニットへ近付く方向に向けて押圧して、光プリントヘッドを前記ドラムユニットから離れた位置から前記ドラムユニットへ向けて移動させる押圧部が接触し、前記長手方向において前記取付部よりも一方側で前記取付部と一体的に成形された第１被押圧部と、前記長手方向において前記取付部よりも他方側で前記取付部と一体的に成形された第２被押圧部と、
前記押圧部によって押圧されて前記移動をする光プリントヘッドを前記感光ドラムを露光するための位置で位置決めするために、前記長手方向において前記第１被押圧部の前記取付部が設けられている側とは反対側で前記第１被押圧部と一体的に成形され前記ドラムユニットに当接する第１位置決め部と前記長手方向において前記第２被押圧部の前記取付部が設けられている側とは反対側で前記第２被押圧部と一体的に成形され前記ドラムユニットに当接する第２位置決め部と、
前記長手方向と前記移動の方向との双方に垂直な垂直方向における前記基板の一方側に対向する第１側壁部と、
前記垂直方向における前記基板の他方側に対向する第２側壁部と、
前記第１位置決め部と前記第２位置決め部とが前記ドラムユニットに当接した状態において前記第１被押圧部と前記第２被押圧部とが前記押圧部によって前記ドラムユニットに向けて押圧されて、当該押圧される方向に力が付与される前記取付部が当該押圧される方向に変形することを抑制するために、前記第１側壁部のうち前記基板と前記垂直方向において対向する面とは反対側の面と、前記第２側壁部のうち前記基板と前記垂直方向において対向する面とは反対側の面と、の少なくともいずれか一方側の面から突出し、前記長手方向において前記取付部を二等分する線を前記長手方向に跨いで延びる突出部と、
を備えることを特徴とする光プリントヘッド。
【請求項２】
前記突出部は、前記第１側壁部のうち前記基板と前記垂直方向において対向する面とは反対側の面と、前記第２側壁部のうち前記基板と前記垂直方向において対向する面とは反対側の面と、のいずれの面にも形成されていることを特徴とする請求項１に記載の光プリントヘッド。
【請求項３】
前記垂直方向における前記突出部の幅は、前記垂直方向における前記第１側壁部の幅と前記垂直方向における前記第２側壁部の幅のいずれの幅以上であることを特徴とする請求項１または請求項２に記載の光プリントヘッド。
【請求項４】
前記長手方向における前記突出部の長さは、前記長手方向における前記取付部の端部間の距離の長さの１５％以上であることを特徴とする請求項１から請求項３までのいずれか１項に記載の光プリントヘッド。
【請求項５】
回転可能な感光ドラムを有するドラムユニットを備える画像形成装置に取り付けられる長手形状の光プリントヘッドであって、
前記感光ドラムを露光するための光を出射する複数の発光素子が光プリントヘッドの長手方向に沿って並べられた基板と、
前記複数の発光素子から出射された光を前記感光ドラムに集光させるレンズアレイと、
前記基板と前記レンズアレイとを有する樹脂製のホルダーと、を有し、
前記ホルダーは、
前記基板が取り付けられる取付部と、
光プリントヘッドを前記ドラムユニットへ近付く方向に向けて押圧して、光プリントヘッドを前記ドラムユニットから離れた位置から前記ドラムユニットへ向けて移動させる押圧部が接触し、前記長手方向において前記取付部よりも一方側で前記取付部と一体的に成形された第１被押圧部と、前記長手方向において前記取付部よりも他方側で前記取付部と一体的に成形された第２被押圧部と、
前記押圧部によって押圧されて前記移動をする光プリントヘッドを前記感光ドラムを露光するための位置で位置決めするために、前記長手方向において前記第１被押圧部の前記取付部が設けられている側とは反対側で前記第１被押圧部と一体的に成形され前記ドラムユニットに当接する第１位置決め部と前記長手方向において前記第２被押圧部の前記取付部が設けられている側とは反対側で前記第２被押圧部と一体的に成形され前記ドラムユニットに当接する第２位置決め部と、
前記長手方向と前記移動の方向との双方に垂直な垂直方向における前記基板の一方側に対向する第１側壁部と、
前記垂直方向における前記基板の他方側に対向する第２側壁部と、
前記第１位置決め部と前記第２位置決め部とが前記ドラムユニットに当接した状態において前記第１被押圧部と前記第２被押圧部とが前記押圧部によって前記ドラムユニットに向けて押圧されて、当該押圧される方向に力が付与される前記取付部が当該押圧される方向に変形することを抑制するために、前記第１側壁部のうち前記基板と対向する面とは反対側の面と、前記第２側壁部のうち前記基板と対向する面とは反対側の面と、の少なくともいずれか一方側の面から突出し、前記長手方向における前記取付部の一端側において前記長手方向に延びる第１突出部と前記第１突出部が形成された面のうち前記長手方向における前記取付部の他端側において前記長手方向に延びる第２突出部と、
を備えることを特徴とする光プリントヘッド。
【請求項６】
前記第１突出部は、前記第１側壁部のうち前記基板と前記垂直方向において対向する面とは反対側の面と、前記第２側壁部のうち前記基板と前記垂直方向において対向する面とは反対側の面と、のいずれの面にも形成されていることを特徴とする請求項５に記載の光プリントヘッド。
【請求項７】
前記第２突出部は、前記第１側壁部のうち前記基板と前記垂直方向において対向する面とは反対側の面と、前記第２側壁部のうち前記基板と前記垂直方向において対向する面とは反対側の面と、のいずれの面にも形成されていることを特徴とする請求項５または請求項６に記載の光プリントヘッド。
【請求項８】
前記垂直方向における前記第１突出部の幅と前記垂直方向における前記第２突出部の幅とは、前記垂直方向における前記第１側壁部の幅と前記垂直方向における前記第２側壁部の幅のいずれの幅以上であることを特徴とする請求項５から請求項７までのいずれか１項に記載の光プリントヘッド。
【請求項９】
前記長手方向における前記第１突出部の長さと前記長手方向における前記第２突出部の長さは、前記長手方向における前記取付部の端部間の距離の長さの１５％以上であることを特徴とする請求項５から請求項８までのいずれか１項に記載の光プリントヘッド。
【請求項１０】
前記取付部は、前記第１側壁部のうち前記基板と対向する面とは反対側の面と、前記第２側壁部のうち前記基板と対向する面とは反対側の面と、の少なくともいずれか一方側の面から突出し前記長手方向に延びる第３突出部を備え、
当該第３突出部は、前記押圧部によって押圧されて移動する前記光プリントヘッドの移動の方向において、前記第１突出部と前記第２突出部のうち少なくともいずれか一方と間隔を隔てて並ぶように前記取付部に形成されていることを特徴とする請求項５から請求項９までのいずれか１項に記載の光プリントヘッド。
【請求項１１】
前記感光ドラムと、
請求項１から請求項１０までのいずれか１項に記載の光プリントヘッドと、
前記光プリントヘッドにより前記感光ドラム上に形成された静電潜像をトナーを用いて現像することによって前記感光ドラム上にトナー像を形成する現像手段と、
前記現像手段により形成されたトナー像を記録媒体に転写する転写手段と、を備えることを特徴とする画像形成装置。
【発明の詳細な説明】
【技術分野】
【０００１】
本発明は、感光ドラムを有するドラムユニットに当接することで感光ドラムに対する位置決めがされる光プリントヘッドおよび光プリントヘッドを備える画像形成装置に関する。
【背景技術】
【０００２】
プリンタや複写機等の画像形成装置は、感光ドラムを露光するための複数の発光素子を備える光プリントヘッドを有する。光プリントヘッドには、発光素子の例としてＬＥＤ（Ｌｉｇｈｔ  Ｅｍｉｔｔｉｎｇ  Ｄｉｏｄｅ）や有機ＥＬ（Ｅｌｅｃｔｒｏ  Ｌｕｍｉｎｅｓｃｅｎｃｅ）等を用いるものがあり、これらの発光素子が感光ドラムの回転軸線方向に沿って、例えば１列や千鳥状の２列に複数配列されたものが知られている。また、光プリントヘッドは、複数の発光素子から出射される光を感光ドラムに集光させるための複数のレンズを備える。複数のレンズは、複数の発光素子と感光ドラムとの間において、発光素子の配列方向に沿うように感光ドラム表面に対向して配置される。複数の発光素子から出射された光は、レンズを介し感光ドラム表面に集光し、感光ドラム上に静電潜像が形成される。
【０００３】
感光ドラムは消耗品であるため定期的に交換される。感光ドラム等の交換作業を行う作業者は、感光ドラムを有するドラムユニットを交換することで、画像形成装置のメンテナンスを行うことができる。光プリントヘッドが感光ドラムを露光するとき、光プリントヘッドと感光ドラム表面との間隔は非常に狭い。したがって、ユーザやサービスマン等の作業者がドラムユニットを交換する際、ドラムユニットと感光ドラムとを接触させてしまう虞がある。そのため、光プリントヘッドを、感光ドラムを露光するときの位置である露光位置と、露光位置よりもドラムユニットから離れた離間位置と、に移動させる移動機構を備える画像形成装置が知られている。
【０００４】
特許文献１に記載の画像形成装置は、光プリントヘッド１と感光ドラム１３との間隔を調整するために光プリントヘッド１をドラムユニットに対して移動させる押圧手段４２を備える。押圧手段４２は光プリントヘッド１の長手方向における光プリントヘッド１の中央付近に設けられている。作業者が押圧手段４２を操作し、光プリントヘッド１の中央付近を押圧することによって光プリントヘッド１をドラムユニットに対して移動させる。また、光プリントヘッド１の長手方向における光プリントヘッド１の両端付近には、感光ドラム１３に対する光プリントヘッド１の位置を決めるためにドラムユニット側に向けて突出した位置決めピン４５が設けられている。位置決めピン４５がドラムユニットに当接していることで光プリントヘッド１と感光ドラム１３表面との間には間隙が形成される。すなわち、光プリントヘッド１は押圧手段によってドラムユニットに向けて押圧されて感光ドラム１３に対する位置が決まる。
【先行技術文献】
【特許文献】
【０００５】
【特許文献１】特開２００５−３３５０７４号公報
【発明の概要】
【発明が解決しようとする課題】
【０００６】
しかしながら、光プリントヘッドの長手方向における光プリントヘッドの一端側と他端側とに設けられた移動機構によって押圧される部分（被押圧部）と、光プリントヘッドの長手方向における光プリントヘッドの一端側と他端側とに設けられた位置決めピンの位置とが、光プリントヘッドの移動方向において重なっていない場合、以下のような課題が生じる。位置決めピンがドラムユニットに当接した状態で光プリントヘッドの被押圧部が移動機構によって押圧されることで、光プリントヘッドの長手方向における光プリントヘッドの一端側と他端側とに設けられた二箇所の被押圧部の間の領域が当該押圧される方向に向けて変形してしまう。露光位置における光プリントヘッドの変形量が大きくなればなるほど、感光ドラムに対する光プリントヘッドの位置も大きく変化してしまい露光不良の原因となる。コストダウンの観点から材質に樹脂を用いた光プリントヘッドの場合、前述した変形量は特に多くなる。
【０００７】
光プリントヘッドの剛性を高めるために、光プリントヘッド自体を大型化することも考えられるが、成形に使用する樹脂の量が多くなればなるほどコストアップにつながる。したがって、成形に使用する樹脂の量を抑制しつつ光プリントヘッドの剛性を高めることが求められる。
【課題を解決するための手段】
【０００８】
本発明に係る光プリントヘッドの代表的な構成は、回転可能な感光ドラムを有するドラムユニットを備える画像形成装置に取り付けられる長手形状の光プリントヘッドであって、前記感光ドラムを露光するための光を出射する複数の発光素子が光プリントヘッドの長手方向に沿って並べられた基板と、前記複数の発光素子から出射された光を前記感光ドラムに集光させるレンズアレイと、前記基板と前記レンズアレイとを有する樹脂製のホルダーと、を有し、前記ホルダーは、前記基板が取り付けられる取付部と、光プリントヘッドを前記ドラムユニットへ近付く方向に向けて押圧して、光プリントヘッドを前記ドラムユニットから離れた位置から前記ドラムユニットへ向けて移動させる押圧部が接触し、前記長手方向において前記取付部よりも一方側で前記取付部と一体的に成形された第１被押圧部と、前記長手方向において前記取付部よりも他方側で前記取付部と一体的に成形された第２被押圧部と、前記押圧部によって押圧されて前記移動をする光プリントヘッドを前記感光ドラムを露光するための位置で位置決めするために、前記長手方向において前記第１被押圧部の前記取付部が設けられている側とは反対側で前記第１被押圧部と一体的に成形され前記ドラムユニットに当接する第１位置決め部と前記長手方向において前記第２被押圧部の前記取付部が設けられている側とは反対側で前記第２被押圧部と一体的に成形され前記ドラムユニットに当接する第２位置決め部と、前記長手方向と前記移動の方向との双方に垂直な垂直方向における前記基板の一方側に対向する第１側壁部と、前記垂直方向における前記基板の他方側に対向する第２側壁部と、前記第１位置決め部と前記第２位置決め部とが前記ドラムユニットに当接した状態において前記第１被押圧部と前記第２被押圧部とが前記押圧部によって前記ドラムユニットに向けて押圧されて、当該押圧される方向に力が付与される前記取付部が当該押圧される方向に変形することを抑制するために、前記第１側壁部のうち前記基板と前記垂直方向において対向する面とは反対側の面と、前記第２側壁部のうち前記基板と前記垂直方向において対向する面とは反対側の面と、の少なくともいずれか一方側の面から突出し、前記長手方向において前記取付部を二等分する線を前記長手方向に跨いで延びる突出部と、を備えることを特徴とする構成である。
【０００９】
本発明に係る光プリントヘッドの代表的な構成は、回転可能な感光ドラムを有するドラムユニットを備える画像形成装置に取り付けられる長手形状の光プリントヘッドであって、前記感光ドラムを露光するための光を出射する複数の発光素子が光プリントヘッドの長手方向に沿って並べられた基板と、前記複数の発光素子から出射された光を前記感光ドラムに集光させるレンズアレイと、前記基板と前記レンズアレイとを有する樹脂製のホルダーと、を有し、前記ホルダーは、前記基板が取り付けられる取付部と、光プリントヘッドを前記ドラムユニットへ近付く方向に向けて押圧して、光プリントヘッドを前記ドラムユニットから離れた位置から前記ドラムユニットへ向けて移動させる押圧部が接触し、前記長手方向において前記取付部よりも一方側で前記取付部と一体的に成形された第１被押圧部と、前記長手方向において前記取付部よりも他方側で前記取付部と一体的に成形された第２被押圧部と、前記押圧部によって押圧されて前記移動をする光プリントヘッドを前記感光ドラムを露光するための位置で位置決めするために、前記長手方向において前記第１被押圧部の前記取付部が設けられている側とは反対側で前記第１被押圧部と一体的に成形され前記ドラムユニットに当接する第１位置決め部と前記長手方向において前記第２被押圧部の前記取付部が設けられている側とは反対側で前記第２被押圧部と一体的に成形され前記ドラムユニットに当接する第２位置決め部と、前記長手方向と前記移動の方向との双方に垂直な垂直方向における前記基板の一方側に対向する第１側壁部と、前記垂直方向における前記基板の他方側に対向する第２側壁部と、前記第１位置決め部と前記第２位置決め部とが前記ドラムユニットに当接した状態において前記第１被押圧部と前記第２被押圧部とが前記押圧部によって前記ドラムユニットに向けて押圧されて、当該押圧される方向に力が付与される前記取付部が当該押圧される方向に変形することを抑制するために、前記第１側壁部のうち前記基板と対向する面とは反対側の面と、前記第２側壁部のうち前記基板と対向する面とは反対側の面と、の少なくともいずれか一方側の面から突出し、前記長手方向における前記取付部の一端側において前記長手方向に延びる第１突出部と前記第１突出部が形成された面のうち前記長手方向における前記取付部の他端側において前記長手方向に延びる第２突出部と、を備えることを特徴とする構成である。
【発明の効果】
【００１０】
本発明にかかる光プリントヘッドによれば、ドラムユニットから離れた位置からドラムユニットに近付く方向（移動方向）へ向けて移動して位置決め部がドラムユニットに当接した状態において、光プリントヘッドが移動方向に反って変形してしまうことを抑制することができる。
【図面の簡単な説明】
【００１１】
【図１】画像形成装置の概略断面図。
【図２】ドラムユニット周辺の構造を説明するための図。
【図３】露光ユニットの概略斜視図。
【図４】光プリントヘッドの構造を説明するための図。
【図５】光プリントヘッドが備える基板とレンズアレイについて説明するための図。
【図６】取付部の構造を説明するための図。
【図７】移動機構の前側の拡大斜視図。
【図８】リンク機構を説明するための図。
【図９】移動機構の変形例について説明するための図。
【図１０】光プリントヘッドの変形について説明するための図。
【図１１】光プリントヘッドのリブについて説明するための図。
【図１２】リブによる光プリントヘッドの変形量抑制の効果を確認するための計算結果を示すグラフ。
【図１３】光プリントヘッドの両端に形成したリブについて説明するための図。
【図１４】リブの長さと光プリントヘッドの変形量との関係について説明するためのグラフ。
【図１５】光プリントヘッドに形成したリブの変形例について説明するための図。
【発明を実施するための形態】
【００１２】
以下にて、本発明を実施するための形態について、図面を参照して説明する。なお、以下に記載されている構成部品の寸法、材質、形状、その相対配置などは、特に特定的な記載がない限りは、この発明の範囲をそれらのみに限定する趣旨のものではない。
【００１３】
（画像形成装置）
まず、画像形成装置１の概略構成を説明する。図１（ａ）は画像形成装置１の概略断面図である。図１（ａ）に示す画像形成装置１は読取装置を備えていないカラープリンタ（ＳＦＰ：Ｓｉｎｇｌ  Ｆｕｎｃｔｉｏｎ  Ｐｒｉｎｔｅｒ）であるが、実施の形態は読取装置を備える複写機であってもよい。また、実施の形態は、図１（ａ）に示すような複数の感光ドラム１０３を備えるカラー画像形成装置に限られず、１つの感光ドラム１０３を備えるカラー画像形成装置やモノクロ画像を形成する画像形成装置でも良い。
【００１４】
図１（ａ）に示す画像形成装置１は、イエロー、マゼンタ、シアン、ブラックの各色のトナー像を形成する４基の画像形成部１０２Ｙ、１０２Ｍ、１０２Ｃ、１０２Ｋ（以下、総称して単に「画像形成部１０２」とも称する）を備える。また、画像形成部１０２Ｙ、１０２Ｍ、１０２Ｃ、１０２Ｋは、それぞれ感光ドラム１０３Ｙ、１０３Ｍ、１０３Ｃ、１０３Ｋ（以下、総称して単に「感光ドラム１０３」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋをそれぞれ帯電させる帯電器１０４Ｙ、１０４Ｍ、１０４Ｃ、１０４Ｋ（以下、総称して単に「帯電器１０４」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋを露光する光を出射する露光光源としてのＬＥＤ（Ｌｉｇｈｔ  Ｅｍｉｔｔｉｎｇ  Ｄｉｏｄｅ、以下ＬＥＤと記載）露光ユニット５００Ｙ、５００Ｍ、５００Ｃ、５００Ｋ（以下、総称して単に「露光ユニット５００」とも称する）を備える。さらに、画像形成部１０２Ｙ、１０２Ｍ、１０２Ｃ、１０２Ｋは、感光ドラム１０３上の静電潜像をトナーによって現像し、感光ドラム１０３上に各色のトナー像を現像する現像手段としての現像器１０６Ｙ、１０６Ｍ、１０６Ｃ、１０６Ｋ（以下、総称して単に「現像器１０６」とも称する）を備える。なお、符号に付されたＹ、Ｍ、Ｃ、Ｋはトナーの色を示している。
【００１５】
図１（ａ）に示す画像形成装置１は感光ドラム１０３を下方から露光する、いわゆる「下面露光方式」を採用する画像形成装置である。以下、下面露光方式を採用する画像形成装置を前提として説明を進めるが、実施の形態としては図１（ｂ）に示す画像形成装置２のような感光ドラム１０３を上方から露光する「上面露光方式」を採用する画像形成装置でも構わない。図１（ｂ）中において図１（ａ）と同じ構成を示す箇所には同符合を示す。
【００１６】
画像形成装置１は、感光ドラム１０３に形成されたトナー像が転写される中間転写ベルト１０７と、感光ドラム１０３に形成されたトナー像を当該中間転写ベルトに順次転写させる一次転写ローラ１０８（Ｙ、Ｍ、Ｃ、Ｋ）を備える。また、画像形成装置１は、中間転写ベルト１０７上のトナー像を給紙部１０１から搬送されてきた記録紙Ｐ（記録媒体の一例）に転写させる、転写手段としての二次転写ローラ１０９と、二次転写された画像を記録紙Ｐに定着させる定着器１００を備える。
【００１７】
（画像形成プロセス）
露光ユニット５００Ｙは帯電器１０４Ｙによって帯電された感光ドラム１０３Ｙの表面を露光する。これにより、感光ドラム１０３Ｙには静電潜像が形成される。次に、現像器１０６Ｙは感光ドラム１０３Ｙに形成された静電潜像をイエローのトナーによって現像する。感光ドラム１０３Ｙの表面に現像されたイエローのトナー像は、一次転写ローラ１０８Ｙによって中間転写ベルト１０７上に転写される。マゼンタ、シアン、ブラックのトナー像も同様の画像形成プロセスで中間転写ベルト１０７に転写される。
【００１８】
中間転写ベルト１０７上に転写された各色のトナー像は、中間転写ベルト１０７によって二次転写部Ｔ２まで搬送される。二次転写部Ｔ２に配置された二次転写ローラ１０９にはトナー像を記録紙Ｐに転写するための転写バイアスが印加されている。二次転写部Ｔ２まで搬送されたトナー像は、二次転写ローラ１０９の転写バイアスによって、給紙部１０１から搬送されてきた記録紙Ｐに転写される。トナー像が転写された記録紙Ｐは定着器１００に搬送される。定着器１００は、熱と圧力によって記録紙Ｐにトナー像を定着させる。定着器１００によって定着処理がなされた記録紙Ｐは、排紙部１１１に排出される。
【００１９】
（ドラムユニットおよび現像ユニット）
画像形成装置１には、感光ドラム１０３を備えるドラムユニット５１８Ｙ、５１８Ｍ、５１８Ｃ、５１８Ｋ（以下、総称して単に「ドラムユニット５１８」とも称する）が取り付けられる。ドラムユニット５１８は、ユーザやメンテナンス者等の作業者によって交換されるカートリッジである。ドラムユニット５１８は感光ドラム１０３を回転可能に支持している。具体的には、感光ドラム１０３は、ドラムユニット５１８の枠体によって回転可能に支持されている。なお、ドラムユニット５１８は帯電器１０４やクリーニング装置を備えていない構成でも構わない。
【００２０】
また、本実施例の画像形成装置１にはドラムユニット５１８とは別体の現像ユニット６４１Ｙ、６４１Ｍ、６４１Ｃ、６４１Ｋ（以下、総称して単に「現像ユニット６４１」とも称する）が取り付けられている。本実施例の現像ユニット６４１は、図１（ａ）に示す現像器１０６とトナー収容部とが一体化されたカートリッジである。現像器１０６は、現像剤を担持する現像スリーブ（不図示）を備える。現像ユニット６４１にはトナーとキャリアを攪拌するためのスクリュを回転させるためのギアが複数設けられている。これらのギアが経年劣化等した際には、作業者が現像ユニット６４１を画像形成装置１の装置本体から取り外して交換する。なお、ドラムユニット５１８および現像ユニット６４１の実施の形態は、上記ドラムユニット５１８と現像ユニット６４１が一体化されたプロセスカートリッジでも構わない。
【００２１】
図２（ａ）は、画像形成装置１が備えるドラムユニット５１８周辺および現像ユニット６４１周辺の概略構造を示す斜視図である。また、図２（ｂ）はドラムユニット５１８が装置本体の外側から画像形成装置１に挿入されている様子を示す図である。
【００２２】
図２（ａ）に示すように画像形成装置１は、板金で形成される前側板６４２と、同じく板金で形成される後側板６４３を備える。前側板６４２は画像形成装置１の手前側に設けられた側壁である。前側板６４２は画像形成装置１本体の手前側において装置本体の筐体の一部を成す。後側板６４３は画像形成装置１の後ろ側に設けられた側壁である。後側板６４３は画像形成装置１本体の奥側において装置本体の筐体の一部を成す。図２（ａ）に示すように、前側板６４２と後側板６４３は対面して配置され、両者の間には梁としての不図示の板金が橋架されている。前側板６４２と後側板６４３と不図示の梁とはそれぞれ画像形成装置１の枠体の一部を構成する。
【００２３】
ここで、本実施例の画像形成装置１若しくはその構成部材に関して、正面側若しくは手前側とは、ドラムユニット５１８を装置本体に対して出し入れ（挿抜）する側である。また、ユーザが画像形成装置１を操作するときに画像形成装置に対して立つ側のことである。背面側若しくは奥側とはその反対側である。
【００２４】
画像形成装置１の手前側からドラムユニット５１８、および現像ユニット６４１を挿抜できるように、前側板６４２には開口が形成されている。ドラムユニット５１８、および現像ユニット６４１は、開口を介して画像形成装置１本体の所定の位置に装着される（装着位置）。また、画像形成装置１は、装着位置に装着されたドラムユニット５１８と現像ユニット６４１の双方の手前側を覆うカバー５５８Ｙ、５５８Ｍ、５５８Ｃ、５５８Ｋ（以下、総称して単に「カバー５５８」とも称する）を備える。カバー５５８は、一端がヒンジによって画像形成装置１本体に固定されており、ヒンジによって画像形成装置１本体に対して回動可能となっている。作業者がカバー５５８を開いて本体内のドラムユニット５１８あるいは現像ユニット６４１を取り出し、新しいドラムユニット５１８あるいは現像ユニット６４１を挿入してカバー５５８を閉じることによって交換作業が完了する。
【００２５】
ここで、図２（ａ）および図２（ｂ）に示すように、以下の説明では装置本体に対して前側板６４２側を前側（手前側若しくは正面側）、後側板６４３側を後側（奥側若しくは背面側）と定義する。また、ブラックのトナー像に関する静電潜像が形成される感光ドラム１０３Ｋを基準としたとき、イエローのトナー像に関する静電潜像が形成される感光ドラム１０３Ｙが配置されている側を右側と定義する。イエローのトナー像に関する静電潜像が形成される感光ドラム１０３Ｙを基準としたとき、ブラックのトナー像に関する静電潜像が形成される感光ドラム１０３Ｋが配置されている側を左側と定義する。さらに、ここで定義した前後方向および左右方向に垂直な方向であって鉛直方向上向きを上方向、また、ここで定義した前後方向および左右方向に垂直な方向であって鉛直方向下向きを下方向と定義する。定義した前方向、後方向、右方向、左方向、上方向、下方向を図２に示す。また、以下の本文で記載する感光ドラム１０３の回転軸線方向とは、図２に示す前後方向と一致する方向である。また、光プリントヘッド１０５の長手方向についても図２に示す前後方向と一致する方向である。すなわち、感光ドラム１０３の回転軸線方向と光プリントヘッド１０５の長手方向とは一致する方向である。
【００２６】
（露光ユニット）
次に、光プリントヘッド１０５を含む露光ユニット５００について説明する。光プリントヘッド１０５は感光ドラム１０３の回転軸線方向に延びる長手形状をなす。ここで、電子写真方式の画像形成装置に採用される露光方式の一例として、半導体レーザの照射ビームを回転するポリゴンミラーなどで走査しｆ−θレンズ等を介して感光ドラムを露光するレーザビーム走査露光方式がある。本実施例で説明する「光プリントヘッド１０５」は、感光ドラム１０３の回転軸線方向に沿って配列されたＬＥＤ等の発光素子を用いて感光ドラム１０３を露光するＬＥＤ露光方式に用いられるものであって、上記に言うレーザビーム走査露光方式には用いられない。
【００２７】
本実施例で説明する露光ユニット５００は、感光ドラム１０３の回転軸線よりも鉛直方向下側に設けられており、光プリントヘッド１０５が有するＬＥＤ５０３が感光ドラム１０３を下方から露光する。ただし、露光ユニット５００が感光ドラム１０３の回転軸線よりも鉛直方向上側に設けられ、感光ドラム１０３を上方から露光する構成でも構わない（図１（ｂ）参照）。図３は、本実施例の画像形成装置１が備える露光ユニット５００の概略斜視図である。
【００２８】
図３より、露光ユニット５００は、光プリントヘッド１０５と移動機構６４０とを備える。光プリントヘッド１０５は、レンズアレイ５０６と、基板５０２（図３では不図示）と、ホルダー５０５と、当接ピン５１４と、当接ピン５１５とを備える。
【００２９】
当接ピン５１４と当接ピン５１５とがドラムユニット５１８に突き当たることでレンズアレイ５０６と感光ドラム１０３との間に間隙が形成され、画像形成時における感光ドラム１０３に対する光プリントヘッド１０５の位置が決まる。移動機構６４０は、第１リンク機構８６１と、第２リンク機構８６２と、スライド部５２５とを備える。第１リンク機構８６１はリンク部材６５１とリンク部材６５３とを備える。第２リンク機構８６２はリンク部材６５２とリンク部材６５４とを備える。不図示のカバー５５８の開閉動作に伴いスライド部５２５が前後方向にスライド移動する。スライド部５２５のスライド移動に連動して第１リンク機構８６１と第２リンク機構８６２とが駆動し、光プリントヘッド１０５が上下に移動する。移動機構６４０の詳しい動作については後述する。ドラムユニット５１８の枠体のうち当接ピン５１４（及び当接ピン５１５）が突き当たる部分には、例えばこれら当接ピン５１４（及び当接ピン５１５）の先端が５ｍｍ程度嵌まる嵌合孔が設けられている。これにより、光プリントヘッド１０５は感光ドラム１０３に対して正確に位置決めされる。
【００３０】
本実施の形態において、露光ユニット５００は感光ドラム１０３の回転軸線よりも鉛直方向下側に設けられている。すなわち、本実施の形態における画像形成装置１は、ＬＥＤ５０３が感光ドラム１０３を下方から露光する、いわゆる「下面露光」方式を採用する画像形成装置である。なお、露光ユニット５００は感光ドラム１０３の回転軸線よりも鉛直方向上側に設けられていても構わない。これは、いわゆる「上面露光」方式と呼ばれる露光方式であって、ＬＥＤ５０３が感光ドラム１０３を上方から露光する構成である。
【００３１】
次に光プリントヘッド１０５の構造を説明する。図４は光プリントヘッド１０５の構造を説明するための図である。図４に示すように、光プリントヘッド１０５は、基板５０２と、レンズアレイ５０６と、ホルダー５０５を備える。レンズアレイ５０６の構造と基板５０２の構造については後で詳しく述べる。ホルダー５０５は、基板５０２とレンズアレイ５０６を保持するホルダーである。本実施例においては、光プリントヘッド１０５自体の軽量化やコスト低減の観点から、ホルダー５０５の材質に樹脂を採用している。
【００３２】
ホルダー５０５は、取付部５０７と、第１被押圧部５０８ａと、第２被押圧部５０８ｂと、第１取付部５０９ａと、第２取付部５０９ｂを備える。これらは全て樹脂製の一体成形物である。
【００３３】
取付部５０７は基板５０２を保持するホルダーである。取付部５０７は下方か開口した筺体である。この開口から基板５０２が挿入され、接着剤によって基板５０２が取付部５０７に接着される。これにより、基板５０２は取付部５０７に保持される。
【００３４】
第１被押圧部５０８ａは、取付部５０７の長手方向における取付部５０７の一端側に設けられている。言い換えれば、第１被押圧部５０８ａは取付部５０７よりも手前側（一方側）に位置するように、取付部５０７と一体的に成形され、ホルダー５０５の一部を構成する。また、第２被押圧部５０８ｂは、取付部５０７の長手方向における取付部５０７の他端側に設けられている。言い換えれば、第２被押圧部５０８ｂは取付部５０７よりも奥側（他方側）に位置するように、取付部５０７と一体的に成形され、ホルダー５０５の一部を構成する。すなわち、取付部５０７は第１被押圧部５０８ａと第２被押圧部５０８ｂの間に位置するように、取付部５０７と第１被押圧部５０８ａと第２被押圧部５０８ｂとは一体的に成形されている。
【００３５】
第１被押圧部５０８ａは、後述するリンク部材６５１によって押圧される部分である。また、第２被押圧部５０８ｂは、後述するリンク部材６５２によって押圧される部分である。リンク部材６５１が第１被押圧部５０８ａをドラムユニット５１８に向けて押圧し、かつ、リンク部材６５２が第２被押圧部５０８ｂをドラムユニット５１８に向けて押圧することにより、光プリントヘッド１０５がドラムユニット５１８から離れた位置からドラムユニット５１８に近付く方向へ移動する。
【００３６】
第１取付部５０９ａは、光プリントヘッド１０５の長手方向における第１被押圧部５０８ａの一端側に設けられている。言い換えれば、第１取付部５０９ａは、第１被押圧部５０８ａよりも手前側に位置するように第１被押圧部５０８ａと一体的に成形され、ホルダー５０５の一部を構成する。また、第２取付部５０９ｂは、光プリントヘッド１０５の長手方向における第２被押圧部５０８ｂの他端側に設けられている。言い換えれば、第２取付部５０９ｂは、第２被押圧部５０８ｂよりも奥側に位置するように第２被押圧部５０８ｂと一体的に成形され、ホルダー５０５の一部を構成する。すなわち、第１取付部５０９ａと取付部５０７との間に第１被押圧部５０８ａが位置するように、取付部５０７と第１被押圧部５０８ａと第１取付部５０９ａとは一体的に成形されている。同様に、第２取付部５０９ｂと取付部５０７との間に第２被押圧部５０８ｂが位置するように、取付部５０７と第２被押圧部５０８ｂと第２取付部５０９ｂとは一体的に成形されている。
【００３７】
第１取付部５０９ａには、不図示の当接ピン５１４が取り付けられる。第１取付部５０９ａと不図示の当接ピン５１４とを合わせて第１位置決め部とも称する。また、第２取付部５０９ｂには、不図示の当接ピン５１５が取り付けられる。第２取付部５０９ｂと不図示の当接ピン５１５とを合わせて第２位置決め部とも称する。詳細は後述するが、当接ピン５１４は第１取付部５０９ａからドラムユニット５１８側に向けて突出しており、かつ、当接ピン５１５は第２取付部５０９ｂからドラムユニット５１８側に向けて突出している。リンク部材６５１とリンク部材６５２とが光プリントヘッド１０５をドラムユニット５１８に向けて押圧することにより、光プリントヘッド１０５が移動していくと、当接ピン５１４と当接ピン５１５とがドラムユニット５１８に当接する。これにより、レンズアレイ５０６と感光ドラム１０３との間に間隙が形成される。
【００３８】
なお、第１取付部５０９ａと当接ピン５１４とは互いが別体の部材である必要はなく、一体の部材であっても構わない。例えば、第１取付部５０９ａに第１取付部５０９ａからドラムユニット５１８側に向けて突出した突起が形成されていても構わない。このようにすることで、この突起に当接ピン５１４と同様の機能を持たせることができる。また、当接ピン５１４や突起ではなく、第１取付部５０９ａ自体をレンズアレイ５０６よりもドラムユニット５１８側に突出させてもよい。すなわち、第１取付部５０９ａのドラムユニット５１８側の面がドラムユニット５１８に当接することにより、感光ドラム１０３に対する光プリントヘッド１０５の位置が決まる。この場合、第１取付部５０９ａ自体が第１位置決め部としての機能を果たす。
【００３９】
同様に、第２取付部５０９ｂと当接ピン５１５とは互いが別体の部材である必要はなく、一体の部材であっても構わない。例えば、第２取付部５０９ｂに第２取付部５０９ｂからドラムユニット５１８側に向けて突出した突起が形成されていても構わない。このようにすることで、この突起に当接ピン５１５と同様の機能を持たせることができる。また、当接ピン５１５や突起ではなく、第２取付部５０９ｂ自体をレンズアレイ５０６よりもドラムユニット５１８側に突出させてもよい。すなわち、第２取付部５０９ｂのドラムユニット５１８側の面がドラムユニット５１８に当接することにより、感光ドラム１０３に対する光プリントヘッド１０５の位置が決まる。この場合、第２取付部５０９ｂ自体が第２位置決め部としての機能を果たす。
【００４０】
本実施の形態において、第１取付部５０９ａは第１被押圧部５０８ａの取付部５０７が設けられている側とは反対側に設けられている。また第２取付部５０９ｂは第２被押圧部５０８ｂの取付部５０７が設けられている側とは反対側に設けられている。すなわち、光プリントヘッド１０５の後側から前側に向けて、第２取付部５０９ｂ、第２被押圧部５０８ｂ、取付部５０７、第１被押圧部５０８ａ、第１取付部５０９ａ、の順に並んでいる。しかしながら、第１取付部５０９ａと第１被押圧部５０８ａの位置関係および第２取付部５０９ｂと第２被押圧部５０８ｂの位置関係はそれぞれ逆でも構わない。すなわち、光プリントヘッド１０５の後側から前側に向けて、第２被押圧部５０８ｂ、第２取付部５０９ｂ、取付部５０７、第１取付部５０９ａ、第１被押圧部５０８ａ、の順に並んでいても構わない。このような構成の場合、リンク部材６５１が第１被押圧部５０８ａを押圧する部分とリンク部材６５２が第２被押圧部５０８ｂを押圧する部分との間に、ドラムユニット５１８に当接する当接ピン５１４と当接ピン５１５とが位置する。
【００４１】
また、取付部５０７には光プリントヘッド１０５の長手方向に沿って延びるリブ６００（突出部の一例）が形成されている。リブ６００は、取付部５０７から突出した突起であり、ホルダー５０５の剛性を高める役割を果たす。ホルダー５０５自体を大型化すればするほど、その剛性は高まる。しかしながら、感光ドラム１０３周囲には現像器１０６や帯電器１０４が配置されているため、ホルダー５０５自体を大型化してしまうと、それら現像器１０６や帯電器１０４に接触してしまう虞がある。また、ホルダー５０５を大型化するためには、成形に使用する樹脂の量も多くする必要がある。したがって、ホルダー５０５を大型化することはコストアップの一要因にもなる。
【００４２】
図４において、リブ６００は、光プリントヘッド１０５の長手方向と移動機構６４０によって移動する光プリントヘッド１０５の移動方向との双方に垂直な垂直方向において、取付部５０７の一方側の面のみに設けられていても構わないし、他方側の面のみに設けられていても構わない。また、当然ながら、リブ６００は、光プリントヘッド１０５の長手方向と移動機構６４０によって移動する光プリントヘッド１０５の移動方向との双方に垂直な垂直方向において、取付部５０７の一方側の面と他方側の面との双方に設けられていてもよい。
【００４３】
次に、基板５０２について説明する。図５（ａ）は基板５０２の概略斜視図である。図５（ｂ１）は基板５０２に設けられた複数のＬＥＤ５０３の配列を示し、図５（ｂ２）は図４（ｂ１）の拡大図を示している。
【００４４】
基板５０２にはＬＥＤチップ６３９が実装されている。図５（ａ）に示すように、基板５０２の一方の面にはＬＥＤチップ６３９が設けられ、裏面側にコネクタ５０４が設けられている。基板５０２には各ＬＥＤチップ６３９に信号を供給するための配線が設けられている。コネクタ５０４には、不図示のフレクシブルフラットケーブル（ＦＦＣ）の一端が接続される。画像形成装置１本体には基板が設けられている。基板５０２は制御部とコネクタとを備える。ＦＦＣの他端は、当該コネクタに接続されている。基板５０２には、画像形成装置１本体の制御部からＦＦＣおよびコネクタ５０４を介して制御信号が入力される。ＬＥＤチップ６３９は、基板５０２に入力された制御信号によって駆動される。
【００４５】
基板５０２に実装されたＬＥＤチップ６３９についてさらに詳しく説明する。図５（ｂ１）および図５（ｂ２）に示すように、基板５０２の一方の面には複数のＬＥＤ５０３が配置された複数のＬＥＤチップ６３９−１〜６３９−２９（２９個）が配列されている。各ＬＥＤチップ６３９−１〜６３９−２９はそれぞれ、その長手方向に５１６個のＬＥＤ（発光素子）が一列に配列されている。ＬＥＤチップ６３９の長手方向において隣り合うＬＥＤの中心間距離ｋ２は画像形成装置１の解像度に対応している。本実施例の画像形成装置１の解像度は１２００ｄｐｉであるので、ＬＥＤチップ６３９−１〜６３９−２９ＬＥＤチップ６３９の長手方向において、ＬＥＤは隣接するＬＥＤの中心間距離が２１．１６μｍとなるように一列に配列されている。そのため、本実施例の光プリントヘッド１０５の露光範囲は約３１６ｍｍとなる。感光ドラム１０３の感光層は３１６ｍｍ以上の幅で形成されている。Ａ４サイズの記録紙の長辺の長さおよびＡ３サイズの記録紙の短辺の長さは２９７ｍｍであるため、本実施例の光プリントヘッド１０５は、Ａ４サイズの記録紙およびＡ３サイズの記録紙に画像形成可能な露光範囲を有している。
【００４６】
ＬＥＤチップ６３９−１から６３９−２９は、感光ドラム１０３の回転軸線方向に沿って二列となるよう交互に配置されている。すなわち、図５（ｂ１）に示すように、左側から数えて奇数番目のＬＥＤチップ６３９−１、６３９−３、・・・６３９−２９が基板５０２の長手方向に一列に実装され、偶数番目のＬＥＤチップ６３９−２、６３９−４、・・・６３９−２８が基板５０２の長手方向に一列に実装されている。ＬＥＤチップ６３９をこのように配置することで、図５（ｂ２）に示すように、ＬＥＤチップ６３９の長手方向において、隣り合う異なるＬＥＤチップ６３９における一方のＬＥＤチップ６３９の一端と他方のＬＥＤチップ６３９の他端とに配置されたＬＥＤの中心間距離ｋ１を一つのＬＥＤチップ６３９上における隣り合うＬＥＤの中心間距離ｋ２と等しくすることができる。
【００４７】
なお、本実施例では露光光源にＬＥＤを用いる構成を例示するが、露光光源として有機ＥＬ（Ｏｒｇａｎｉｃ  Ｅｌｅｃｔｒｏ  Ｌｕｍｉｎｅｓｃｅｎｃｅ）を用いても良い。
【００４８】
次に、レンズアレイ５０６について説明する。図５（ｃ１）はレンズアレイ５０６を感光ドラム１０３側から見た時の概略図である。また、図５（ｃ２）はレンズアレイ５０６の概略斜視図である。図５（ｃ１）に示すように、これら複数のレンズは複数のＬＥＤ５０３の配列方向に沿って二列に並べられている。各レンズは、一方の列のレンズの配列方向において隣り合うレンズの両方に接するように他方の列のレンズの一つが配置されるよう交互に配置されている。各レンズは、円柱状の硝子製のロッドレンズであって、ＬＥＤ５０３から出射された光が入射する入射面と、入射面から入射した光が出射する出射面とを有する。なお、レンズの材質は硝子製に限らず、プラスチック製でも構わない。レンズの形状についても円柱状に限らず、例えば六角柱等の多角柱でも構わない。
【００４９】
図５（ｃ２）に示す点線Ｚはレンズの光軸を示す。光プリントヘッド１０５は前述の移動機構６４０によって当該点線Ｚで示すレンズの光軸に概ね沿った方向に移動させられる。ここで言うレンズの光軸とは、レンズの光出射面の中心と当該レンズの焦点とを結ぶ線を意味する。レンズアレイ５０６はＬＥＤ５０３から出射された光を感光ドラム１０３の表面に集光する役割をもつ。
【００５０】
図６（ａ）は、ホルダー５０５の前側を下側から見た図である。基板５０２およびレンズアレイ５０６は不図示としている。また、リブ６００についても不図示としている。図６（ａ）に示すように、ホルダー５０５には、ホルダー５０５の長手方向に亘って延びる貫通孔９０６が形成されている。この貫通孔９０６にレンズアレイ５０６が嵌った状態でホルダー５０５とレンズアレイ５０６とが接着剤にて互いに固定される。
【００５１】
図６（ａ）に示すように、取付部５０７は第１側壁部８００と第２側壁部８０１とを備える。第１側壁部８００の側壁面８００ｂは不図示の基板に対向する面である。同様に、第２側壁部８０１の側壁面８０１ｂも不図示の基板に対向する面である。基板５０２が配置されていない状態において、側壁面８００ｂと側壁面８０１ｂとは互いに対向して配置されている。
【００５２】
図６（ｂ）は、レンズアレイ５０６を不図示としたホルダー５０５の前側の概略斜視図である。図６（ｂ）に示すようにホルダー５０５の取付部５０７の上部にはレンズ取付部７０１ａとレンズ取付部７０１ｂとが形成されている。また、前述の通り、取付部５０７の上部には貫通孔９０６が形成されており。レンズ取付部７０１ａとレンズ取付部７０１ｂとは貫通孔９０６を介して互いに対向するように配置されている。これらレンズ取付部７０１ａとレンズ取付部７０１ｂとの間にレンズアレイ５０６が挿入され、レンズアレイ５０６がレンズ取付部７０１ａとレンズ取付部７０１ｂとに接着剤にて固定される。
【００５３】
図６（ｃ）は、ホルダー５０５の取付部５０７を光プリントヘッド１０５の長手方向に垂直な面で切断したときの断面図である。図６（ｃ）に示すように、取付部５０７は第１側壁部８００と第２側壁部８０１とを備え、これらの間に基板５０２が配置されている。ホルダー５０５の下側には開口７０３が形成されている。基板５０２は開口７０３からホルダー５０５内部の空間に挿入され、第１側壁部８００の側壁面８００ｂと第２側壁部８０１の側壁面８０１ｂとに接着される。
【００５４】
第１側壁部８００の側壁面８００ｂと基板５０２とは、光プリントヘッド１０５の移動方向と光プリントヘッドの長手方向（感光ドラム１０３の回転軸線方向）との双方に垂直な垂直方向において対向している。言い換えれば、側壁面８００ｂと基板５０２とは左右方向において対向している。
【００５５】
同様に、第２側壁部８０１の側壁面８０１ｂと基板５０２とは、光プリントヘッド１０５の移動方向と光プリントヘッドの長手方向（感光ドラム１０３の回転軸線方向）との双方に垂直な垂直方向において対向している。言い換えれば、側壁面８０１ｂと基板５０２とは左右方向において対向している。
【００５６】
また、第１側壁部８００のうち基板５０２と対向する面（側壁面８００ｂ）とは反対側の面（側壁面８００ａ）にはリブ６００ａが形成されている。リブ６００ａは、図６（ｃ）で言うと側壁面８００ａから左側に向けて突出した突起である。ここで、リブ６００ａは側壁面８００ａの下側の端部から左側に向けて突出している。リブ６００ａを側壁部８００の下側端部に形成することで取付部５０７の剛性をより高めることが出来る。そのため、リブ６００ａは側壁部８００のうち可能な限り開口７０３に近い位置に形成することが望ましい。本実施の形態において、リブ６００ａの左右方向の厚さ（幅）は第１側壁部８００の左右方向の厚さと等しく１．５ｍｍである。しかしながら、リブ６００ａの左右方向の厚さ（幅）は、必ずしも第１側壁部８００の左右方向の厚さと等しい必要はない。リブ６００ａの左右方向の厚さ（幅）は、第１側壁部８００の左右方向の厚さ（幅）の半分以上の厚さであれば構わない。
【００５７】
同様に、第２側壁部８０１のうち基板５０２と対向する面（側壁面８０１ｂ）とは反対側の面（側壁面８０１ａ）にはリブ６００ｂが形成されている。リブ６００ｂは、図６（ｃ）で言うと側壁面８０１ａから右側に向けて突出した突起である。ここで、リブ６００ｂは側壁面８０１ａの下側の端部から右側に向けて突出している。リブ６００ｂを側壁部８００の下側端部に形成することで取付部５０７の剛性をより高めることが出来る。そのため、リブ６００ｂは側壁部８００のうち可能な限り開口７０３に近い位置に形成することが望ましい。本実施の形態において、リブ６００ｂの左右方向の幅は第２側壁部８０１の左右方向の幅と等しく１．５ｍｍである。しかしながら、リブ６００ｂの左右方向の幅は、必ずしも第２側壁部８０１の左右方向の幅と等しい必要はない。リブ６００ｂの左右方向の幅は、第２側壁部８０１の左右方向の厚さの半分以上の厚さであれば構わない。
【００５８】
なお、取付部５０７の剛性を効果的に高めるためには、本実施の形態のように移動機構６４０によって移動する光プリントヘッド１０５の移動方向と光プリントヘッド１０５の長手方向との双方に垂直な方向において、取付部５０７の一方側の面（側壁面８００ａ）と他方側の面（側壁面８０１ａ）との双方からリブ６００を突出させることが望ましい。しかしながら、側壁面８００ａにはリブ６００ａを形成せずに側壁面８００ａのみにリブ６００ｂを形成する構成でも構わない。同様に、側壁面８０１ａにはリブ６００ｂを形成せずに側壁面８００ａのみにリブ６００ａを形成する構成でも構わない。このように、側壁面８００ａもしくは側壁面８０１ａのうち、いずれか一方側の面のみにリブ６００を形成する構成でも構わない。このような構成の場合、側壁面８００ａと側壁面８０１ａの双方にリブ６００を形成した取付部５０７に比べて、その剛性は劣るものの、リブ６００を有さない取付部５０７よりは剛性を高めることが出来る。
【００５９】
（移動機構）
次に、光プリントヘッド１０５を露光位置と退避位置とに移動させる移動機構６４０について説明する。以下に説明する通り、移動機構６４０は光プリントヘッド１０５を露光位置と退避位置とに往復移動させる。ここで、露光位置とは、光プリントヘッド１０５が感光ドラム１０３を露光するために、ドラムユニット５１８に対して位置決めされた位置のことである。退避位置とは、ユーザやサービスマン等の作業者がドラムユニット５１８を交換するために、露光位置よりも光プリントヘッド１０５をドラムユニット５１８から退避させた位置のことである。
【００６０】
図３に示すように移動機構６４０は第１リンク機構８６１と、第２リンク機構８６２と、スライド部５２５と、第１支持部５２６を備える。第１リンク機構８６１はリンク部材６５１とリンク部材６５３を備え、第２リンク機構８６２はリンク部材６５２とリンク部材６５４を備える。図３に示すように、リンク部材６５１とリンク部材６５３、リンク部材６５２とリンク部材６５４はそれぞれλ型のリンク機構を構成する。
【００６１】
図７（ａ）は、移動機構６４０の手前側を左側から見た概略斜視図である。また、図７（ｂ）は、移動機構６４０の手前側を右側から見た概略斜視図である。
【００６２】
以下、図７（ａ）、図７（ｂ）、図８（ａ）および図８（ｂ）を用いて、第１リンク機構８６１について説明する。図８（ａ）は、第１リンク機構８６１を感光ドラム１０３の回転軸線に沿った面で切断した断面図を右側から見た図である。第１リンク機構８６１は、リンク部材６５１と、リンク部材６５３を備える。第１リンク機構８６１を構成するリンク部材６５１およびリンク部材６５３はそれぞれ単一のリンク部材であるが、複数のリンク部材を組み合わせて構成しても良い。図８（ａ）および（ｂ）に示すように、リンク部材６５３の長手方向の長さはリンク部材６５１の長手方向の長さよりも短い。
【００６３】
リンク部材６５１は、軸受部６１０、押圧部の一例としての突起６５５、および接続軸部５３８、を備える。なお、リンク部材６５１全体として１つの押圧部と捉えても構わない。軸受部６１０はリンク部材６５１の長手方向の一端側に設けられている。突起６５５は、リンク部材６５１の長手方向の他端側に設けられた、リンク部材６５１の回動軸線方向に立設した円柱状の突起であって、光プリントヘッド１０５のホルダー５０５側に設けられたバネを変形させるための突起である。接続軸部５３８はリンク部材６５１の長手方向において軸受部６１０と突起６５５との間に設けられている。なお、第１移動部は突起６５５に限らず、リンク部材６５１の長手方向の一端側が回動軸線方向に屈曲した構造でも構わない。
【００６４】
軸受部６１０には図８（ａ）の左右方向に延びる円形の中空孔が形成されている。スライド部５２５には嵌合軸部５３４が設けられている。嵌合軸部５３４はスライド部５２５から図８（ａ）の左方向に立設した円柱状の突起である。嵌合軸部５３４は軸受部６１０の孔に対して回動可能に嵌合されることで第１接続部を形成する。すなわち、リンク部材６５１は第１接続部を回動中心としてスライド部５２５に対して回動可能となっている。ここで、嵌合軸部５３４がリンク部材６５１側に形成され、軸受部６１０がスライド部５２５に形成されていても構わない。
【００６５】
リンク部材６５３は、接続軸部５３０を備える。接続軸部５３０はリンク部材６５３の長手方向の一端側に設けられている。接続軸部５３０はリンク部材６５３から図８（ａ）の左側に立設した円柱状の突起である。接続軸部５３０は第１支持部５２６に形成された孔に回転可能に挿入され、第３接続部を形成する。ここで、接続軸部５３０はリンク部材６５３ではなく、第１支持部５２６に形成されていても構わない。すなわち、リンク部材６５３に形成された孔に第３支持部に形成された接続軸部５３０が挿入されていてもよい。
【００６６】
リンク部材６５３の長手方向の他端側には図８（ａ）の左右方向に延びる円形の孔が形成されている。当該孔にはリンク部材６５１の接続軸部５３８が回動可能に挿入されており、接続軸部５３８とリンク部材６５３の孔は第４接続部を形成する。すなわち、リンク部材６５３は、第３接続部を回動中心に第１支持部５２６に対して回動可能であり、第４接続部を回動中心にリンク部材６５１に対して回動可能となっている。ここで、接続軸部５３８はリンク部材６５１ではなく、リンク部材６５３に形成されていても構わない。すなわち、リンク部材６５１に形成された孔にリンク部材６５３に形成された接続軸部５３８が挿入されてもよい。
【００６７】
なお、第２リンク機構８６２の構成についても、上で説明した第１リンク機構８６１の構成と同様である。第２リンク機構８６２が備えるリンク部材６５２およびリンク部材６５４は、それぞれリンク部材６５１およびリンク部材６５３に対応する。したがって、リンク部材６５２を構成する部材全体として１つの押圧部と捉えることができる。また、第１接続部に対応して、リンク部材６５２の長手方向の一端側とスライド部５２５との接続部分は第２接続部を構成する。なお、移動機構６４０の実施の形態はリンク部材６５３とリンク部材６５４のいずれか一方を省略しても良い。
【００６８】
以上の構成により、スライド部５２５が第１支持部５２６に対して前側から後側へスライド移動すると、スライド部５２５と共に嵌合軸部５３４に嵌合した軸受部６１０が第１支持部５２６に対して前側から後側へスライド移動する。これにより、図８（ａ）に示すように第１リンク機構８６１を右側から見た時、リンク部材６５１は嵌合軸部５３４を回動中心として時計回りに回動し、かつ、リンク部材６５３は接続軸部５３０を回動中心として反時計回りに回動する。よって、突起６５５が露光位置から退避位置へと向かう方向へ移動する。
【００６９】
一方、スライド部５２５が第１支持部５２６に対して後側から前側へスライド移動すると、リンク部材６５１およびリンク部材６５３は図８（ａ）に記載の矢印とは逆方向に移動する。スライド部５２５が、第１支持部５２６に対して後側から前側へスライド移動するとスライド部５２５と共に嵌合軸部５３４に嵌合した軸受部６１０が第１支持部５２６に対して後側から前側へスライド移動する。これにより、図８（ａ）に示すように第１リンク機構８６１を右側から見た時、リンク部材６５１は嵌合軸部５３４を回動中心として反時計回りに回動し、かつ、リンク部材６５３は接続軸部５３０を回動中心として時計回りに回動する。よって、突起６５５は退避位置から露光位置へと向かう方向へ移動する。
【００７０】
なお、（１）接続軸部５３８の回動中心軸と軸受部６１０の回動中心軸との距離をＬ１、（２）接続軸部５３８の回動中心軸と接続軸部５３０の回動中心軸との距離をＬ２、（３）接続軸部５３８の回動中心軸と突起６５５の回動中心軸との距離をＬ３とする。移動機構６４０において第１リンク機構８６１は、Ｌ１、Ｌ２、Ｌ３は互いに等しいスコットラッセル機構を形成する（図８（ｂ）参照）。距離Ｌ１、Ｌ２、Ｌ３は等しくすることによって、嵌合軸部５３４のスライド移動方向に対して突起６５５が垂直に移動（図８（ｂ）の点線Ａ上）するため、上記のリンク機構において光プリントヘッド１０５をレンズの略光軸方向に移動させることができる。
【００７１】
ここで、第１リンク機構８６１と、第２リンク機構８６２と、のそれぞれを前後方向で逆の構造とし、スライド部５２５を前側から後側へスライド移動させると光プリントヘッド１０５が退避位置から露光位置に向けて移動し、スライド部５２５を後側から前側へスライド移動させると光プリントヘッド１０５が露光位置から退避位置に向けて移動する構成としても構わない。
【００７２】
また、光プリントヘッド１０５を移動させる機構は移動機構６４０に限らず、図９に示す移動機構９４０でも構わない。以下、図９を用いて移動機構９４０の構造を説明する。なお、移動機構６４０を構成する部材と実質的に同じ機能を有する部材には同じ符合を付して説明し、重複する説明は省略する場合がある。
【００７３】
図９に示すように、スライド部５２５の前側及び後側には第１カム部１１２および第２カム部１１３が設けられており、また、ホルダー５０５下側の前側及びホルダー９０５下側の後側には移動支持部１１４及び移動支持部１１５が設けられている。ここで、移動機構９４０において、第１カム部１１２と第２カム部１１３とが押圧部としての機能をもつ。
【００７４】
移動支持部１１４は被押圧部５０８ａからスライド部５２５へ向けて突出した突起である。本実施の形態において、移動支持部１１４は被押圧部５０８ａから下側に向けて突出している。ここで、本実施の形態においては、被押圧部５０８ａと移動支持部１１４はそれぞれが別体の部材であるが、これらは一体的に成形されていても構わない。
【００７５】
移動支持部１１５は被押圧部５０８ｂからスライド部５２５へ向けて突出した突起である。本実施の形態において、移動支持部１１５は被押圧部５０８ｂから下側に向けて突出している。ここで、本実施の形態においては、被押圧部５０８ｂと移動支持部１１５はそれぞれが別体の部材であるが、これらは一体的に成形されていても構わない。
【００７６】
第１カム部１１２および第２カム部１１３には、後側から前側へ向かうに従ってホルダー５０５から離れる方向へ向けて傾斜した傾斜面が形成されている。第１カム部１１２の傾斜面は移動支持部１１４を支持し、第２カム部１１３の傾斜面は移動支持部１１５を支持する。
【００７７】
図９（ａ）は、露光位置に位置する光プリントヘッド１０５及び移動機構９４０を右側から見た概略図である。光プリントヘッド１０５が露光位置である際に、スライド部５２５が第１支持部５２６に対して前側から後側へ向けてスライド移動すると、スライド部５２５と共にスライド部５２５に設けられた第１カム部１１２および第２カム部１１３が第１支持部５２６に対して前側から後側へ向けてスライド移動する。これにより、ホルダー９０５に設けられた移動支持部１１４及び移動支持部１１５の下端が第１カム部１１２および第２カム部１１３に当接し、移動支持部１１４及び移動支持部１１５が第１カム部１１２および第２カム部１１３に沿って露光位置から退避位置へと向かう方向へ移動する。
【００７８】
図９（ｂ）は、退避位置に位置する光プリントヘッド１０５及び移動機構９４０を右側から見た概略図である。光プリントヘッド１０５が退避位置である際に、スライド部５２５が第１支持部５２６に対して後側から前側へスライド移動すると、スライド部５２５と共にスライド部５２５に設けられた第１カム部１１２および第２カム部１１３が第１支持部５２６に対して後側から前側へ向けてスライド移動する。これにより、ホルダー９０５に設けられた移動支持部１１４及び移動支持部１１５の下端が第１カム部１１２および第２カム部１１３に沿って、退避位置から露光位置へと向かう方向へ押し上げられ移動する。
【００７９】
ここで、第１カム部１１２および第２カム部１１３と、のそれぞれが備える傾斜面の傾斜方向を前側から後側へ向けて下側に傾斜した構造としても構わない。この場合、スライド部５２５を前側から後側へスライド移動させると光プリントヘッド１０５が退避位置から露光位置に向けて移動し、スライド部５２５を後側から前側へスライド移動させると光プリントヘッド１０５が露光位置から退避位置に向けて移動する。
【００８０】
（露光位置に位置する光プリントヘッドに作用する力の説明）
図１０は、露光位置に位置する光プリントヘッド１０５に作用する力について説明するための図である。図１０に示す光プリントヘッド１０５は、光プリントヘッド１０５の手前側に設けられた当接ピン５１５と光プリントヘッド１０５の後側に設けられた当接ピン５１５がそれぞれドラムユニット５１８に突き当たった状態である。当接ピン５１４と当接ピン５１５とがドラムユニット５１８に突き当たっていることで、光プリントヘッド１０５と感光ドラム１０３との間に間隙が形成される。このときの光プリントヘッド１０５の位置が露光位置である。
【００８１】
図１０に示すように、当接ピン５１４が設けられる第１取付部５０９ａは、リンク部材６５１に押圧される第１被押圧部５０８ａよりも光プリントヘッド１０５の長手方向における光プリントヘッド１０５の一端側に設けられている。本実施の形態においては、第１取付部５０９ａは第１被押圧部５０８ａよりも手前側に配置されている。当接ピン５１４とドラムユニット５１８とが接触する部分（以下、第１当接点とも称する）とリンク部材６５１が第１被押圧部５０９を押圧する部分（以下、第１押圧点とも称する）とは、主走査方向（前後方向）において距離Ｌａだけずれている。ここで言う「主走査方向」は光プリントヘッド１０５の長手方向および感光ドラム１０３の回転軸線方向と一致する方向である。本実施の形態において、距離Ｌａは１４ｍｍである。
【００８２】
また、図１０に示すように、当接ピン５１５が設けられる第２取付部５０９ｂは、リンク部材６５２に押圧される第２被押圧部５０８ｂよりも光プリントヘッド１０５の長手方向における光プリントヘッド１０５の他端側に設けられている。本実施の形態においては、第２取付部５０９ｂは第２被押圧部５０８ｂよりも奥側に配置されている。当接ピン５１５とドラムユニット５１８とが接触する部分（第２当接点）とリンク部材６５２が第２被押圧部５０９を押圧する部分（第２押圧点）とは、主走査方向（前後方向）において距離Ｌｂだけずれている。ここで言う「主走査方向」は光プリントヘッド１０５の長手方向および感光ドラム１０３の回転軸線方向と一致する方向である。本実施の形態において、距離Ｌｂは１４ｍｍである。
【００８３】
また、図１０に示すように、取付部５０７は第１被押圧部５０８ａと第２被押圧部５０８ｂとの間に配置されている。言い換えれば、光プリントヘッド１０５の長手方向において、取付部５０７より手前側では第１被押圧部５０８ａが取付部５０７と一体的に成形され、取付部５０７より奥側では第２被押圧部５０８ｂが取付部５０７と一体的に成形されている。本実施の形態において、リンク部材６５１が第１被押圧部５０８ａを押圧する部分（第１押圧点）とリンク部材６５２が第２被押圧部５０８ｂを押圧する部分（第２押圧点）との間隔は３９５ｍｍである。
【００８４】
本実施の形態において、ホルダー５０５は、当接ピン５１４と当接ピン５１５の間においてリンク部材６５１とリンク部材６５２とによってバネを介してドラムユニット５１８へ向けて押圧される。なお、リンク部材６５１と、リンク部材６５１と被押圧部５０８ａの間に挟まれたバネと、を合わせて押圧部とも称する。同様に、リンク部材６５２と、リンク部材６５２と被押圧部５０８ｂの間に挟まれたバネと、を合わせて押圧部とも称する。
【００８５】
ホルダー５０５は、当接ピン５１４と当接ピン５１５とが共にドラムユニット５１８に当接した状態で、リンク部材６５１とリンク部材６５２とによってドラムユニット５１８に向けて押圧される。そのため、ホルダー５０５には図１０中に矢印Ｍで示すように曲げモーメントが発生する。これにより、ホルダー５０５には、図１０中で言うところの上向きの反りが発生する。言い換えれば、光プリントヘッド１０５が、当接ピン５１４と当接ピン５１５とが共にドラムユニット５１８に当接した状態で、リンク部材６５１とリンク部材６５２とによってドラムユニット５１８に向けて押圧されることで、押圧される方向へ向かう力が取付部５０７に付与される。
【００８６】
（取付部に形成されたリブについての説明）
図１１に、取付部５０７にリブ６００が形成された光プリントヘッド１０５の斜視図を示す。図１１中における点線Ｋ（中間線）は、光プリントヘッド１０５の長手方向における取付部５０７の一端と他端との中間を示す。中間線Ｋから光プリントヘッド１０５の長手方向における取付部５０７の他端までの距離Ｘ１と中間線Ｋから光プリントヘッド１０５の長手方向における取付部５０７の一端までの距離Ｘ２は互いに等しい距離である。すなわち、中間線Ｋは、光プリントヘッド１０５の長手方向において取付部５０７の一端と他端とを結んだ線を等しく２等分する線である。
【００８７】
リブ６００は、この点線Ｋを光プリントヘッド１０５の長手方向に跨ぐように、光プリントヘッド１０５の長手方向に沿って延びて形成されている。リブ６００の一部が点線Ｋに重なるように取付部５０７に形成されていることで、光プリントヘッド１０５の反りが抑制されている。
【００８８】
なお、本実施の形態では、リブ６００は点線Ｋに重なり、かつ、光プリントヘッド１０５の長手方向における光プリントヘッド１０５の一端から他端までの長さの２０％形成されている。しかしながら、好適にはリブ６００は、光プリントヘッド１０５の長手方向における取付部５０７の一端側から他端側に亘って形成されていることが望ましい。
【００８９】
図１２は、光プリントヘッド１０５が露光位置に位置する場合において取付部５０７の変形量（筺体変位の量）を光プリントヘッド１０５の長手方向に亘って計算した結果である。図１２では、光プリントヘッド１０５の長手方向における取付部５０７の中心より手前方向を正、奥（後）方向を負として座標軸を示している。この図より、任意の主走査位置における光プリントヘッド１０５の変形量が分かる。計算した取付部５０７の変形量は、取付部５０７が移動機構６４０（９４０）による光プリントヘッドの移動方向へ変形した量である。以下に取付部５０７の変形量の計算に用いた解析モデルの条件を示す。
【００９０】
［解析モデル条件］
・第１押圧点と第２押圧点との間隔Ｐ：３９５ｍｍ
・第１当接点と第１押圧点との間隔Ｌａ：１４ｍｍ
・第２当接点と第２押圧点との間隔Ｌｂ：１４ｍｍ
・リンク部材６５１が第１被押圧部を押圧する力：３５０ｇ重
・リンク部材６５２が第２被押圧部を押圧する力：３５０ｇ重
・ホルダー５０５の材質：ＬＣＰ（Ｌｉｑｕｉｄ  Ｃｒｙｓｔａｌ  Ｐｏｌｙｍｅｒ）
・ホルダー５０５のヤング率：８．４×１０９［Ｐａ］
・ホルダー５０５の厚さ：１．５ｍｍ
・リブ６００のホルダー５０５からの突出量（リブ６００の幅）：１．５ｍｍ
図１２に光プリントヘッド１０５の長手方向における取付部５０７の変形量の計算結果を示す。図１２に示すグラフ中において、実線で示す曲線はリブ６００を有さない取付部５０７の変形量を、点線で示す曲線はリブ６００を有する取付部５０７の変形量を示す。
【００９１】
図１２に示すように、リブ６００を有さない取付部５０７の場合、上記の解析モデル条件において取付部５０７は最大で８６μｍ変形してしまう。一方、光プリントヘッド１０５の長手方向において取付部５０７の一端から他端に亘ってリブ６００を形成した場合、上記の解析モデル条件において取付部５０７の最大変形量は４７μｍまで低減することができる。
【００９２】
リブ６００は、光プリントヘッド１０５の移動方向と光プリントヘッド１０５の長手方向との双方に垂直な垂直方向において、取付部５０７の一方側の面と他方側の面とから突き出た突起である。リブ６００は、光プリントヘッド１０５の長手方向における取付部５０７の一端と他端との中間線Ｋを跨ぐように取付部５０７に形成されている。リブ６００は、中間線Ｋを光プリントヘッド１０５の長手方向に跨いで、かつ、光プリントヘッド１０５の長手方向に延びて取付部５０７に形成されている。
【００９３】
このように、光プリントヘッド１０５の長手方向において取付部５０７を二等分する中間線Ｋを跨ぐようにリブ６００を形成することによって、取付部５０７の変形量を低減することができる。
【００９４】
図１３は、光プリントヘッド１０５の長手方向における取付部５０７の一端側にリブ６２０ａ（第１突出部の一例）を形成し、光プリントヘッド１０５の長手方向における取付部５０７の他端側にリブ６２０ｂ（第２突出部の一例）を形成した光プリントヘッド１０５の概略斜視図である。リブ６２０ａとリブ６２０ｂとは、光プリントヘッド１０５の長手方向と移動機構６４０によって移動する光プリントヘッド１０５の移動方向との双方に対して垂直な垂直方向において、取付部５０７の一方側のみに形成されていても構わないし、取付部５０７の他方側のみに形成されていても構わない。また、当然ながら、リブ６２０ａとリブ６２０ｂとは、光プリントヘッド１０５の長手方向と移動機構６４０によって移動する光プリントヘッド１０５の移動方向との双方に対して垂直な垂直方向において、取付部５０７の一方側と他方側との双方に形成されていても構わない。ここで、取付部５０７の変形を引き起こす曲げモーメントについて考察する。この曲げモーメントの支点に相当する部分は、当接ピン５１４とドラムユニット５１８との当接部分および当接ピン５１５とドラムユニット５１８との当接部分である。また、力点に相当する部分は、リンク部材６５１が第１被押圧部５０８ａを押圧する部分およびリンク部材６５２が第２被押圧部５０８ｂを押圧する部分である。したがって、取付部５０７のうちこれら支点と力点とに近い位置をリブ６２０ａおよびリブ６２０ｂによって補強することで上記した曲げモーメントに起因する光プリントヘッド１０５の変形量を抑制することができる。
【００９５】
図１４に示すグラフにおいて黒丸で示すプロットは、光プリントヘッド１０５の長手方向における取付部５０７の全長に対するリブ６００の長さの割合を２０％毎に変化させた場合の取付部５０７の変位抑制率を示す。ここで、変位抑制率について説明する。リブを有さない取付部５０７が、光プリントヘッド１０５が露光位置に位置するときに変形する変形量に対して、光プリントヘッド１０５の長手方向における取付部５０７の全長に対して１００％の長さのリブ６００を取付部５０７に形成した場合に抑制できた取付部５０７の変形量を最大変形抑制量とする。変形抑制率（変位抑制率とも称する）とは、この最大変形抑制量に対して実際に取付部５０７の変形を抑制できた量の割合である。
【００９６】
例えば、図１２を用いて先に説明したように、リブ６００を有さない取付部５０７の場合、光プリントヘッド１０５が露光位置に位置する場合に取付部５０７は最大で８６μｍ変形する。光プリントヘッド１０５の長手方向における取付部５０７の全長に対して１００％の長さのリブ６００を取付部５０７に形成した場合、取付部５０７の最大変形量は４７μｍである。したがって、最大変形抑制量は８６μｍと４７μｍの差分の３９μｍとなる。ここで、図１４のグラフを参照する。例えば変形抑制率３０％の場合に、取付部５０７の変形を抑制できる量は３９μｍの３０％で約１２μｍとなる。
【００９７】
発明者の実験によると、取付部５０７の変形量を抑制する効果が顕著に表れるのは、光プリントヘッド１０５の長手方向における取付部５０７の全長に対するリブ６００の長さの割合を１５％以上に設定した場合である。ただし、取付部５０７の変形量を抑制する効果自体は、リブ６００の長さに関わらず、リブ６００を中間線Ｋを跨ぐように取付部５０７に形成することによって得ることが可能である。
【００９８】
図１４中において実線で示す曲線は黒丸のプロットの近似曲線である。同様に図１４中において点線で示す曲線は白丸のプロットの近似曲線である。白丸のプロットは、光プリントヘッド１０５の長手方向における取付部５０７の全長に対してリブ６２０ａおよびリブ６２０ｂの長さの割合を２０％毎に変化させた場合における取付部５０７の変形量について示したプロットである。なお、白丸で示すプロットにおいて、例えば「２０％」のリブは、リブ６２０ａとリブ６２０ｂとがそれぞれ、光プリントヘッド１０５の長手方向における取付部５０７の全長に対して１０％ずつの長さを有するリブであることを示す。すなわち、本実施の形態において、光プリントヘッド１０５の長手方向における取付部５０７の全長は３８０ｍｍあるため、この例では、リブ６２０ａおよびリブ６２０ｂはそれぞれ３８ｍｍずつの長さのリブである。同様に、例えば「４０％」のリブの場合、リブ６２０ａおよびリブ６２０ｂはそれぞれ７６ｍｍずつの長さのリブである。
【００９９】
発明者の実験によると、取付部５０７の変形量を抑制する効果が顕著に表れるのは、光プリントヘッド１０５の長手方向における取付部５０７の全長に対するリブ６２０ａおよびリブ６２０ｂの長さの割合を１５％以上に設定した場合である。ただし、取付部５０７の変形量を抑制する効果自体は、リブ６２０ａおよびリブ６２０ｂの長さに関わらず、リブ６２０ａおよびリブ６２０ｂを中間線Ｋを跨ぐように取付部５０７に形成することによって得ることが可能である。
【０１００】
図１４に示す計算結果より、リブ６００のように中間線Ｋを跨ぐように取付部５０７にリブを形成しなくても、光プリントヘッド１０５の長手方向における取付部５０７の一端側にリブ６２０ａを形成し且つ他端側にリブ６２０ｂを形成すれば、光プリントヘッド１０５が露光位置に位置するときの取付部５０７の変形量を抑制することが可能である。
【０１０１】
また、ホルダー５０５はその自重によっても撓むことがある。リブ６００や、リブ６２０ａおよびリブ６２０ｂは、光プリントヘッド１０５自体の自重に起因するホルダー５０５の反りを抑制する効果もある。
【０１０２】
図１５（ａ）は、リブ７２１およびリブ７２２と、リブ７２０と、を光プリントヘッド７０５の移動方向において並べて形成した光プリントヘッド７０５の概略斜視図である。また、図１５（ｂ）は、図１５（ａ）にて領域Ｓで示す部分で光プリントヘッド７０５を切断した断面図である。図１５（ｂ）に示すように、リブ７２０ａ（７２０ｂ）とリブ７２１ａ（リブ７２１ｂ）とを光プリントヘッド７０５の移動方向に並べて形成することにより、取付部７０７の剛性を高める。リブ７２０ａ（７２０ｂ）とリブ７２１ａ（リブ７２１ｂ）とは、互いに上下方向において間隔をあけて並んで形成されている。
【０１０３】
図１５（ａ）に示す光プリントヘッド７０５の取付部７０７には切り欠き６５０が形成されている。この切り欠き６５０からは、取付部７０７の内部に収容される基板５０２のコネクタが露出する。コネクタには不図示のフレキシブルフラットケーブル（ＦＦＣ）が接続されており、基板５０２へ電気信号を伝える。切り欠き６５０から基板５０２のコネクタが露出していることで、サービスマンのような作業者が、基板５０２のコネクタに対するＦＦＣの着脱作業を容易に行うことが可能となる。
【０１０４】
図１５（ａ）および図１５（ｂ）に示すように、リブ７２０は取付部７０７のうちホルダー７５５の開口７０３側の端部において光プリントヘッド７０５の長手方向に沿って形成されている。リブ７２１は、切り欠き６５０よりも取付部７０７の手前側と切り欠き６５０よりも取付部７０７の奥側とに形成されている。このように、リブ７２０とリブ７２１とが光プリントヘッド７０５の移動方向において複数列に並んで形成された領域と、リブ７２０とリブ７２２とが光プリントヘッド７０５の移動方向において複数列に並んで形成された領域と、を取付部７０７に設けることで取付部７０７の剛性を高めることが出来る。
【０１０５】
ここで、本実施の形態において、リブ７２０およびリブ７２１（リブ７２２）それぞれの上下方向の厚さは１ｍｍである。またリブ７２０とリブ７２１（リブ７２２）との間隔は１．５ｍｍである。取付部７０７の剛性をより高めるためにはリブ７２０とリブ７２１（リブ７２２）の間隔は小さい方が好ましく、リブ７２０もしくはリブ７２１（リブ７２２）のうち上下方向の厚さが厚い方のリブの厚さの３倍以下の間隔であることが好ましい。具体的には、リブ７２０の上下方向の厚さが１ｍｍ、リブ７２１（リブ７２２）の上下方向の厚さが１ｍｍの場合、リブ７２０とリブ７２１（リブ７２２）の間隔は３ｍｍ以下とすることが好ましい。
【符号の説明】
【０１０６】
５０７  取付部
５０８ａ  第１被押圧部
５０８ｂ  第２被押圧部
５０９ａ  第１取付部
５０９ｂ  第２取付部
５１４  当接ピン
５１５  当接ピン
６００  リブ
Ｋ  中間線
【図１】
2020062764.tif 000003
【図２】
2020062764.tif 000004
【図３】
2020062764.tif 000005
【図４】
2020062764.tif 000006
【図５】
2020062764.tif 000007
【図６】
2020062764.tif 000008
【図７】
2020062764.tif 000009
【図８】
2020062764.tif 000010
【図９】
2020062764.tif 000011
【図１０】
2020062764.tif 000012
【図１１】
2020062764.tif 000013
【図１２】
2020062764.tif 000014
【図１３】
2020062764.tif 000015
【図１４】
2020062764.tif 000016
【図１５】
2020062764.tif 000017